Podtech/llm-jp-corpus-v4-ja_patent huggingface dataset:
(57)【要約】      （修正有）【課題】ウニの殻２個を合わせて球体となしたもので、これを握ることによって手のひらのツボを刺激し、健康増進の効果をもたらす球状の掘り球を提供する。【解決手段】棘を落したウニの殻を上下半分に切断し、上半分の内側にセメント４等を充填して補強した後、同じ大きさの２個を選んで切断面を接着し、球体とする。【選択図】図４
0003189503.tif 000002
【実用新案登録請求の範囲】
【請求項１】
棘を落したウニ殻を上下半分に切断し、その上半分の内側にセメントや石膏等を充填して補強したのち、同じ大きさの２個を選んでその切断面を接着してなる、球状の握り球。
【考案の詳細な説明】
【技術分野】
【０００１】  本考案はウニ殻の加工品に属し、球体を手のひらで握ることによってツボを刺激し、爽快感を与えるとともに健康増進に益する作用を有する握り球に関するものである。
【背景技術】
【０００２】  手のひらには全身のツボが集まっていると考えられており、物体を握ることによってこのツボを刺激する健康増進法が広く行われている。【０００３】  握る対象物としては球体が多く、一例として片手に２個の球を握り、手のひら内でこの２個の球を回すことによってツボを刺激する方法がある。【０００４】  現在、鉄や石あるいは木材などで作られた真球が広く市販されている。【０００５】  もうひとつは、クルミの殻などのように表面に凹凸のある球状物を握った際に、この凹凸が心地よくツボを刺激する効果を利用したもので、本考案はこの後者に属する。【０００６】  すなわち、棘の落ちたウニ殻には棘の生えていた個所にそれぞれ小突起が残っているが、考案者は、これを握るとその小突起の刺激が極めて爽快感を与えることを見出して本考案を完成したものである。
【考案の概要】
【考案が解決しようとする課題】
【０００７】  しかしウニの殻はほぼ半球形をなしており、また空洞で壊れやすいなど、そのままでは握り球として使用するに適していない。【０００８】  したがって、ウニ殻製の握り球はこれまで存在していない。
【問題を解決するための手段】
【０００９】  先ず、棘の落ちたウニ殻の上下を半分に切断し、その上半分の殻の内側に、セメントや石膏もしくは各種のパテなどを充填しあるいは厚く塗って固化させる。
【００１０】  固化した後、切断面をサンドペーパーや砥石などを用いて平らにする。
【００１１】  かくして得られた半球物の中から直径が全く等しいものを対として選び、切断面を接着してほぼ球状の球を作る。
【００１２】  最後にウニ殻の表面にエポキシやウレタンなどの樹脂塗料を塗って補強する。
【考案の効果】
【００１３】  かくして二つのウニ殻の上半部を合わせたものはほぼ球形であり、その表面には微小な突起が均等に分布している。
【００１４】  強度があるので強く握っても壊れる恐れはなく、握り締めるだけで手のひらに実に心地よい刺激が伝わる。
【００１５】  特に全身の爽快感とともに柔軟性が増すことは多くの体験者により実証されているので、両手に１個ずつを持ち、強弱を繰り返しながら握り締めるのが有効である。
【図面の簡単な説明】
【００１６】
【図１】棘が取れたウニ殻の側断面図であって、本考案の実施例ではＡ−Ａで上下に切断する。
【図２】本考案の実施例に係る握り球の平面図である。
【図３】図２の握り球の側面図である。
【図４】図３の握り球の断面図で、球の内部構造を示す。
【符号の説明】
【００１７】１    肛門跡
２    口器跡
３    棘跡の小突起
４    補強充填物（セメントなど）
５    接着面
Ａ    切断個所
【実施例】
【００１８】  ウニの殻はほぼ半球形で、平らな底面の中央に口器があり、上部アーチの中央に肛門穴がある。【００１９】  また、生きているウニ殻には多数の棘が生えているので、３パーセント程度の水酸化ナトリウム溶液、あるいは家庭用の塩素系漂白剤に一夜程度漬けて、殻から棘を脱離させる。【００２０】  棘の脱離方法としては、ウニを土砂中に埋め、あるいは水中に入れて腐敗させる等の方法もある。【００２１】  棘が脱離したら流水でよく洗って内臓や棘を完全に取り除き、殻を乾燥する。【００２２】  この殻を水平に切断し、上半分の内面にインスタントセメントを厚めに塗って補強し、同時に肛門跡の穴も塞ぐ。【００２３】  セメントが固まったら、出来た皿状物の縁になる切断面をサンドペーパー等で平らにしておく。【００２４】  丁度同じ大きさの皿状物を選び、接着剤で切断面を張り合わせればほぼ球状で中空の握り球ができる。【００２５】  この際、空洞の中に鈴や石の玉、その他好みの物質を入れることも可能であり、あるいは中空状でなく芯詰り状にしてもよい。【００２６】  表面をエポキシ樹脂あるいはウレタン樹脂などの塗料を塗って完成する。
【産業上の利用可能性】
【００２７】  ウニの生殖巣は「雲丹」と呼ばれ、高級珍味のひとつである。【００２８】  日本ではキタムラサキウニ、エゾバフンウニ、ムラサキウニ、アカウニ、シラヒゲウニなどが主な食用品種である。【００２９】  通常は、採取したウニを半分に割ってその生殖巣を取り出すので、残った殻は不定形に壊れており利用することは出来ない。【００３０】  しかし、生殖巣を取り出す際、ウニの底部に丸い穴を開けてその穴から生殖巣を取り出す方法（特許第５１７０７６１号）を用いれば、ウニ殻の上半部は原形のまま保たれる。【００３１】  したがって本考案は、通常は廃棄物とされているこれらのウニ殻の有効利用方法のひとつであり、またゼロエミッション化として環境保全にも役立つものである。【００３２】  さらに、磯焼けを防止し藻場を保全するためには、増えすぎたウニを定期的に駆除する必要があるが、この駆除ウニの殻も同様に利用できる。【００３３】  この場合、食用にされないナガウニなどの品種であっても、手で握れる大きさの殻を持つウニであれば握り球に加工することができる。【００３４】  したがって、材料の入手は容易であり、一方、健康増進のための握り球の需要もますます増えることが予想される。
【図１】
0003189503.tif 000003
【図２】
0003189503.tif 000004
【図３】
0003189503.tif 000005
【図４】
0003189503.tif 000006
【手続補正書】
【提出日】平成25年12月14日(2013.12.14)
【手続補正１】
【補正対象書類名】明細書
【補正対象項目名】０００９
【補正方法】変更
【補正の内容】
【０００９】  先ず、棘の落ちたウニ殻の上下を半分に切断し、その上半分の殻の内側に、セメントを充填して固化させる。
【手続補正２】
【補正対象書類名】明細書
【補正対象項目名】００１７
【補正方法】変更
【補正の内容】
【００１７】  １    肛門跡  ２    口器跡  ３    棘跡の小突起  ４    補強充填物（セメント）  ５    接着面  Ａ    切断個所
【手続補正３】
【補正対象書類名】実用新案登録請求の範囲
【補正対象項目名】全文
【補正方法】変更
【補正の内容】
【実用新案登録請求の範囲】
【請求項１】
棘を落したウニ殻を上下半分に切断し、その上半分の内側にセメントを充填して補強したのち同じ大きさの２個を選んでその切断面を接着してなる、球状の握り球。
(57)【要約】      （修正有）【課題】掘削終了後、ケーシングを地上に引き上げる時に、先端部材とアタッチメントとの離脱を容易とするドレーン材埋設装置を提供する。【解決手段】ドレーン材５を地中に埋設するための中空状のケーシング６と、ケーシングの下端に設けられたアタッチメント２と、アタッチメントに対して着脱可能に係合し、アタッチメントの内壁に近接する位置に外周面が設けられる先端部材１と、を有するドレーン材埋設装置であって、先端部材の外周面とアタッチメントの内壁との間にグリースが塗布されている。先端部材とアタッチメントとの隙間に土や砂が入り込みにくく、又入り込んでも滑りやすくなる。又、弓なりになったドレーン材の導入後、ケーシングの内壁に油差しで油を差す。摩擦によるドレーン材の地上への浮き上がりが防止される。【選択図】図１
0003189507.tif 000002
【実用新案登録請求の範囲】
【請求項１】
先端部材とアタッチメントの隙間をグリースで埋める。
【請求項２】
ケーシングの内壁に油差しで油を差してケーシングの内壁を油で潤す。
【考案の詳細な説明】
【技術分野】
【０００１】  本考案は地盤の液状化対策工法として、透水性の高いドレーン材を地中に埋設する方法に関し、特にドレーン材の埋設の前にケーシングを地中に打設して、ケーシング内にドレーン材を導入した後、ケーシングの先端部材を地中に残すためのドレーン材埋設方法に関する物である。
【背景技術】
【０００２】  従来ドレーン材を地中に埋設する方法として、前もってケーシングを地中に打設してケーシングの先端部材により掘削を行って、ケーシング内にドレーン材を導入した後ケーシングの先端部材を地中に残してケーシングのみを引き上げる事により、先端部材とドレーン材を埋設する方法がある。【０００３】  先端部材をケーシング下端のアタッチメントから離脱させる方法としては、ドレーン材をケーシング内に導入後、ドレーン材を鉄棒等によりケーシング内に押し込んで、先端部材をアタッチメントから離脱させる方法が用いられています。
【考案の開示】
【考案が解決しようとする課題】
【０００４】  しかしながらケーシングの先端部材をケーシングのアタッチメントから離脱させる装置の信頼性が低い事から、ケーシングの引き上げの際にケーシングの下端のアタッチメントに装着されたままで先端部材とドレーン材が離脱されずケーシングと共に地中から上がってしまうことがあります。【０００５】  先端部材とドレーン材が離脱されずケーシングと共に地中から上がって来る原因は、先端部材が地中の土や砂を掘削する際、先端部材とそれを収容するアタッチメントとの間に土や砂が入り込み、異物の摩擦によって先端部材とアタッチメントとの離脱をさまたげております。
その外、ドレーン材が本来ならば真っ直ぐに製作される所、中には弓なりに曲がった物を現場に納入され使用する場合がある。
ケーシングの内壁に弓なりに曲がったドレーン材との摩擦によってドレーン材がケーシングの引き上げと共に地中から上がって来てしまいます。
【課題を解決しようとする手段】
【０００６】  本考案を図と共に説明すれば先端部材１とアタッチメント２との間に土や砂が入り込みにくい状態にする事である。
そして先端部材１とアタッチメント２との間に滑りやすい物を入れ込み、先端部材１とアタッチメント２の離脱が容易に出来るようにする事である。
本考案の先端部材１とアタッチメント２との間に土や砂が入り込みにくく、滑りやすい物とは、グリース４である。
グリース４は、先端部材１とアタッチメント２との隙間に施工前に塗り込み、隙間の無いようにして施工します。その外弓なりになったドレーン材５は、ケーシング６内にドレーン材５を導入前に、ケーシング６の上端の内壁に油差しで油を差し、ケーシング６の内壁を油で潤してからドレーン材５をケーシング６内に導入する。
【考案の効果】
【０００７】  先端部材とアタッチメントとの間の隙間は極薄いもので、グリースがその極薄い隙間に塗り込んで置けば、土や砂はその隙間に入り込めにくくなり、先端部材とアタッチメントとの離脱の際にも、グリースの滑りやすい特長で離脱を容易に出来るようになります。
そして弓なりのドレーン材でオイルをケーシング内に差したオイルは、ケーシング内の下の方へ降りて行き、ケーシングの下端のアタッチメント内に入り込み、先端部材とアタッチメントの隙間をオイルで潤し先端部材とアタッチメントの離脱を手助けします。
【産業上の利用可能性】
【０００８】先端部材とアタッチメントとの離脱させる装置の信頼性の低さを、先端部材とアタッチメントの隙間にグリースを塗り込み隙間を塞ぎ土や砂を入りにくくし、先端部材の離脱には、滑りやすく離脱を容易に出来、埋設作業を速める事が出来る。
【図面の簡単な説明】
【０００９】
【図１】ケーシング、アタッチメント、先端部材の断面図である。
【図２】ケーシング、アタッチメント、先端部材の断面図である。
【図３】ドレーン材埋設の実施方法を示した説明図である。
【符号の説明】
【００１０】１  先端部材
２  アタッチメント
３  土や砂
４  グリース
５  ドレーン材
６  ケーシング
７  油差し
８  油
【図１】
0003189507.tif 000003
【図２】
0003189507.tif 000004
【図３】
0003189507.tif 000005
【手続補正書】
【提出日】平成25年12月26日(2013.12.26)
【手続補正１】
【補正対象書類名】実用新案登録請求の範囲
【補正対象項目名】全文
【補正方法】変更
【補正の内容】
【実用新案登録請求の範囲】
【請求項１】
ドレーン材を地中に埋設するための中空状のケーシングと、前記ケーシングの下端に設けられたアタッチメントと、前記アタッチメントに対して着脱可能に係合し、前記アタッチメントの内壁に近接する位置に外周面が設けられる先端部材と、を有するドレーン材埋設装置であって、
前記先端部材の外周面と前記アタッチメントの内壁との間にグリースが塗布されているドレーン材埋設装置
【請求項２】
ドレーン材を地中に埋設するための中空状のケーシングと、前記ケーシングの下端に設けられたアタッチメントと、前記アタッチメントに対して着脱可能に係合し、前記アタッチメントの内壁に近接する位置に外周面が設けられる先端部材と、を有するドレーン材埋設装置であって、
前記ケーシングの内壁に油が塗布されているドレーン材埋設装置
(57)【要約】      （修正有）【課題】本考案は磁石位置を人体の首背面と首側面及び右肺・左肺の上に置く事を主とするものであり、各磁気を半貴石に於いて遮断し、連結しない磁気ネックレスを提供する。【解決手段】全体が左右対称であり、上方に磁石４１・４２を連設し、鎖にて半貴石９に接続し、次に磁石１１に接続して半貴石１３に接続し、次に磁石を多数連設し、半貴石１７に連設、その次に磁石多数を連設して下に半貴石２７を設け、その下方にピーズ２８を数珠様に取り付けてなる。【選択図】図１
0003189506.tif 000002
【実用新案登録請求の範囲】
【請求項１】
全体が左右対称であり、長手方向透孔に９ピンを貫通保持した磁石をＣカンにて連設し、これを鎖にて半貴石に接続なし、次に磁石に接続し、Ｃカン保持の半貴石に接続、また磁石を多数連設なし半貴石に連設、その次に磁石多数を連設なして下に半貴石を設け、その下方にピーズを数珠様に取り付けてなる磁気ネックレス。
【考案の詳細な説明】
【技術分野】
【０００１】本考案は、オペラ（７０ｃｍ〜８０ｃｍ）を主とする磁気ネックレスに於いて、磁気を、身体の首部及び肺の前面に適応に配分しようとするものである。
【背景技術】
【０００２】従来の磁気ネックレスは、主にチョーカーまたはプリンセスに大きく分別できる。【０００３】紐またはチェーンにて複数個の磁石を連結なして構成していた。
【考案の概要】
【考案が解決しようとする課題】
【０００４】この連結してある磁石を人体の動脈・静脈リンパ系の脈上に当たり易くする。【０００５】人体の右肺および左肺の上に磁石が当たり易くする。【０００６】小粒の半貴石およびピーズをネックレスの下方に数珠様に連結構成する事ができる。
【課題を解決するための手段】
【０００７】  本考案の構成主体は、半貴石の透孔を貫通保持したＣカンと磁石の中央を貫通保持（かしめる）した９ピンをＣカンで接続するも、数珠様に連結して構成したものである。【０００８】  前記、構成された半貴石から複数の磁石を数珠様に連設する。【０００９】  これは通常３個数の磁石を連設なし次の半貴石に繋げる。【００１０】  ネックレス上方の左右の接続は、カニカン又はＣカンである。
【実施例】
【００１１】  最上部１に於いて、長手方向透孔２を有し、９ピン３にて貫通保持を施した磁石４１・４２を左右にＣカン５にて連設するも、具つ鎖６１・鎖６２に接続する。【００１２】  横透孔７にＣカン８を貫通保持した半貴石（合成樹脂加工品等）９１・９２と鎖をＣカン又はカニカン接続する。【００１３】半貴石９の下方にＣカン１０を介入して磁石１１１・１１２を左右１個数連設なし、且つＣカン１２を介入して半貴石１３１・１３２を連設する。【００１４】下方にＣカンと磁石１４・１５・１６を交互に取り付け半貴石１７に連設する。【００１５】前記これを第３図に基づいて説明すれば、長手方向１８に９ピン１９にて貫通保持した磁石をＣカン２０を用いて半貴石１７に連設する。【００１６】半貴石１７下方にＣカン２１を介して半貴石２２を設ける。
尚、磁石２３・２４・２５を連設するにＣカン２６を介する。及び半貴石２７を連設する。【００１７】下方に小粒のピーズを数珠様にＣカン２９にて取り付ける。【００１８】尚、最下端にペンダントトップ３０を、ジョイント金具３１にて釣り下げて成る。
【先行技術文献】
【実用新案文献】
【００１９】
【実用新案文献１】
実用新案３１８４８９０号公報
【実用新案文献２】
実用新案３１８１８７５号公報
【考案を実施するための形態】
【００２０】  香りを提供する実用新案登録３１８１８７５号は本考案と一体が可能となる。
【００２１】  この様に構成した本考案は、人体の首回りに掛けた時の上下の長さは約４０ｃｍである。
【００２２】  前記実施例の本考案磁気ネックレスの磁束密度は、磁石４１・４２の位置は７０ミリテスラである。磁石１１の位置は４３ミリテスラである。磁石１４・１５・１６連結位置は８３ミリテスラである。磁石２３・２４・２５連結位置は６１ミリテスラである。
【産業上の利用可能性】
【００２３】  本考案は、ネックレスとして人体の右肺と左肺近辺に常に弱少の磁気が存在する事が特徴である。【００２４】半貴石が介在している故に首背面及び首側面及び肺上面に磁気が分離存在する。【００２５】下部に於いて小粒のピーズは色彩を有する形状のものを使用し、Ｃカンで連設するも軽量であることと共に、最下端ペンダントトップは、各人の好みとする。
【考案の効果】
【００２６】弱少磁気が首背面と首側面に存在する。
【００２７】弱少磁気が右肺・左肺上面に存在する。
【００２８】本考案と実用新案３１８１８７５号と一体化すると弱少の香水の香りがする故に清清しい気分を得る。
【００２９】全体のデザインが自由に出来る故に磁気ネックレスとして精神的に気持よい感覚を提供できる。
【図面の簡単な説明】
【００３０】
【図１】本考案磁気ネックレスの全体図。
【図２】上方の拡大図。
【図３】要部の接続図。
【００３１】透孔をＣカンで保持した半貴石と長手方向透孔を９ピンにて貫通保持した磁石をＣカンで接続した図であるも、とくに９ピンで接続３１である事を表現した。
【符号の説明】
【００３２】  ２    磁石
５    Ｃカン
９    半貴石
２８    ピーズ
【図１】
0003189506.tif 000003
【図２】
0003189506.tif 000004
【図３】
0003189506.tif 000005
【手続補正書】
【提出日】平成26年1月6日(2014.1.6)
【手続補正１】
【補正対象書類名】実用新案登録請求の範囲
【補正対象項目名】全文
【補正方法】変更
【補正の内容】
【実用新案登録請求の範囲】
【請求項１】
全体が左右対称であり、長手方向透孔に９ピンを貫通保持した磁石をＣカンをもちいて連設し、これを鎖にて半貴石にＣカンをもちいて接続し、次に磁石にＣカンをもちいて接続し、Ｃカン保持の半貴石にＣカンをもちいて接続、また磁石を多数Ｃカンにて連設し、半貴石にＣカンをもちいて連設、その次にＣカンをもちいて連設構成した磁石多数をＣカンをもちいて連設し、下に半貴石を設け、その下方にピーズを数珠様にＣカンをもちいて取り付けてなる磁気ネックレス。
(57)【要約】      （修正有）【課題】多種多様の物品の梱包時の側長に有効な目盛を表記した粘着テープを提供する。【解決手段】剥離処理剤層４、支持体層５、粘着剤層６からなる粘着テープであって、前記支持体層５の表面あるいは裏面に測長用の目盛を表記した粘着テープ。前記粘着テープは、素材の異なるクラフト粘着テープ、布粘着テープ、ポリプロピレン製粘着テープ、フィルム粘着テープ、金属箔粘着テープ、屋内スポーツ用ライン粘着テープのいずれかに適用されることを特徴とする。【選択図】図３
0003189509.tif 000002
【実用新案登録請求の範囲】
【請求項１】
粘着テープは図３で示すように４の剥離処理剤層、５の支持体層、６の粘着剤層からなり、図中の４と５との間の支持体層表面あるいは図中の５と６との間の支持体層裏面に測長用の目盛を表記したもの。
【請求項２】
素材の異なるクラフト粘着テープ、布粘着テープ、ＯＰＰ粘着テープ、フィルム粘着テープ、金属箔粘着テープ、屋内スポーツ用ラインテープ等の粘着テープに適用したもの。
【考案の詳細な説明】
【技術分野】
【０００１】  この考案は、粘着テープに測長用の目盛を表記した測長用目盛の付いた粘着テープに関するものである。
【背景技術】
【０００２】  従来、粘着テープに測長用の目盛を付けたものはなかった。
【考案の概要】
【考案が解決しようとする課題】
【０００３】  個人、法人、諸団体による物流量が増加しつつあり、輸送する機会が日々増している。輸送便等を利用する際には被梱包物の幅、高さ、奥行き寸法により料金が設定されているため、その都度被梱包物の３辺を計測するために測長用具を常備し、寸法測長する煩わしさがあった。
また多種多様の被梱包物がある場合は各々を測長するため効率の低下が否めなかった。
【課題を解決するための手段】
【０００４】  本考案は上記問題点を解決するために測長用目盛の付いた粘着テープを提供することにより余分な動作と用具等を省くことにより効率の良い測長作業が可能になることを目的としている。【０００５】  その解決手段を図面に追いながら説明すると、一般的に粘着テープは剥離材層、支持体層、粘着剤層からなり、本考案は図中５の支持体層表面あるいは裏面に計測用目盛を表記する。
【図面の簡単な説明】
【０００６】
【図１】  本考案の正面図
【図２】  本考案の側面図
【図３】  本考案の示す詳細図
【符号の説明】
【０００７】  １は粘着テープ本体
２は測長用目盛
３は粘着テープ巻き芯
４は剥離処理剤層
５は支持体層
６は粘着剤層
【考案を実施するための形態】
【０００８】  テープの端を引き出し、貼り付ける対象面に貼り付けるだけで測長が可能となる。
【産業上の利用可能性】
【０００９】物品の梱包時において測長する際に有効である。【００１０】建築構造物の材料や構造物の施工時の位置決め作業に有効である。【００１１】土木構造物の材料や構造物の施工時の位置決め作業に有効である。【００１２】機械構造物の設置作業時の位置決め作業に有効である。【００１３】構造物のレイアウト時に有効である。【００１４】屋内スポーツなどに使用されているラインテープ施工時やライン利用時に有効である。
【図１】
0003189509.tif 000003
【図２】
0003189509.tif 000004
【図３】
0003189509.tif 000005
【手続補正書】
【提出日】平成25年12月11日(2013.12.11)
【手続補正１】
【補正対象書類名】実用新案登録請求の範囲
【補正対象項目名】全文
【補正方法】変更
【補正の内容】
【実用新案登録請求の範囲】
【請求項１】
剥離処理剤層（４）、支持体層（５）、粘着剤層（６）からなる粘着テープであって、前記支持体層（５）の表面あるいは裏面に測長用の目盛を表記した粘着テープ。
【請求項２】
前記粘着テープは、素材の異なるクラフト粘着テープ、布粘着テープ、ポリプロピレン製粘着テープ、フィルム粘着テープ、金属箔粘着テープ、屋内スポーツ用ライン粘着テープのいずれかに適用されることを特徴とする請求項１記載の測長用の目盛を表記した粘着テープ。
(57)【要約】      （修正有）【課題】駒箱が不要で、駒箱を紛失する虞れがない折れ将棋盤を提供する。【解決手段】２枚の将棋盤半体１，１の裏面２に、凹窪部３を折畳状態で相互に対応する形状と位置に設け、折畳状態で将棋駒収納室を形成するように構成する。各将棋盤半体１の凹窪部３を除いて裏面２全体に幌布５を接着する。各裏面２は折畳線を超えて幌布５によって連結されて２枚の将棋盤半体１，１が折畳展開自在である。幌布５にて折畳状態のクッション材に兼用する。凹窪部３は接着後の機械切削にて形成されている。将棋盤半体１は、表板６と裏板７の積層材から構成され、凹窪部３は、幌布５の貫通孔８と、裏板７の貫通孔９、及び表板６の浅皿凹所１０にて形成される。【選択図】図３
0003189198.tif 000002
【実用新案登録請求の範囲】
【請求項１】
２枚の将棋盤半体（１）（１）の裏面（２）に、凹窪部（３）を折畳状態で相互に対応する形状と位置に設け、折畳状態で将棋駒収納室（４）を形成するように構成したことを特徴とする折れ将棋盤。
【請求項２】
上記各将棋盤半体（１）の上記凹窪部（３）を除いて裏面（２）全体に幌布（５）を接着し、かつ、上記各裏面（２）は折畳線（12）を超えて上記幌布（５）によって連結されて上記２枚の将棋盤半体（１）（１）が折畳展開自在であり、さらに、該幌布（５）にて折畳状態のクッション材に兼用し、さらに、上記凹窪部（３）は接着後の機械切削にて形成されている請求項１記載の折れ将棋盤。
【請求項３】
上記将棋盤半体（１）は、表板（６）と裏板（７）の積層材から構成され、上記凹窪部（３）は、上記幌布（５）の貫通孔（８）と、上記裏板（７）の貫通孔（９）、及び表板（６）の浅皿凹所（10）にて形成された請求項２記載の折れ将棋盤。
【考案の詳細な説明】
【技術分野】
【０００１】
本考案は、折れ将棋盤に関する。
【背景技術】
【０００２】
一般に、将棋と言えば、将棋駒および将棋盤を備える（例えば、特許文献１参照）。
【０００３】
しかし、将棋駒は、駒箱に収納されるので、対局中等に駒箱を紛失する虞れがあった。
【先行技術文献】
【特許文献】
【０００４】
【特許文献１】特開平９−２６６９７０号公報
【考案の概要】
【考案が解決しようとする課題】
【０００５】
解決しようとする課題は、駒箱を紛失する虞れがある点である。
【課題を解決するための手段】
【０００６】
そこで、本考案に係る折れ将棋盤は、２枚の将棋盤半体の裏面に、凹窪部を折畳状態で相互に対応する形状と位置に設け、折畳状態で将棋駒収納室を形成するように構成したものである。
また、上記各将棋盤半体の上記凹窪部を除いて裏面全体に幌布を接着し、かつ、上記各裏面は折畳線を超えて上記幌布によって連結されて上記２枚の将棋盤半体が折畳展開自在であり、さらに、該幌布にて折畳状態のクッション材に兼用し、さらに、上記凹窪部は接着後の機械切削にて形成されているものである。
また、上記将棋盤半体は、表板と裏板の積層材から構成され、上記凹窪部は、上記幌布の貫通孔と、上記裏板の貫通孔、及び表板の浅皿凹所にて形成されたものである。
【考案の効果】
【０００７】
本考案の折れ将棋盤によれば、駒箱が不要であり、駒箱を紛失する虞れがない。
【図面の簡単な説明】
【０００８】
【図１】本考案の第１の実施の形態の展開状態を示す平面図である。
【図２】底面図である。
【図３】図２のＸ−Ｘ断面端面図である。
【図４】説明図である。
【図５】折畳状態を示す平面図である。
【図６】図５のＹ−Ｙ断面端面図である。
【図７】第２の実施の形態を示す要部断面端面図である。
【考案を実施するための形態】
【０００９】
以下、図示の実施の形態に基づいて本考案を詳説する。
図１〜図３は、本考案の第１の実施の形態を示す。この折れ将棋盤は、図１〜図３の展開状態から、図４の矢印Ａ方向に折畳んで、図５及び図６に示す折畳状態とすることができる。２枚の将棋盤半体１，１の裏面２に、凹窪部３を折畳状態で相互に対応する形状と位置に設け、折畳状態で将棋駒収納室４を形成するように構成される。
【００１０】
各将棋盤半体１の凹窪部３を除いて裏面２全体に幌布５を接着する。各裏面２は折畳線12を超えて幌布５によって連結されて２枚の将棋盤半体１，１が折畳展開自在である。幌布５にて折畳状態のクッション材に兼用する。凹窪部３は接着後の機械切削にて形成されている。例えば、凹窪部３はルーターマシン（図示省略）にて形成される。
【００１１】
将棋盤半体１は、表板６と裏板７の積層材から構成される。表板６と裏板７は、例えば、米ヒバから成る。凹窪部３は、幌布５の貫通孔８と、裏板７の貫通孔９、及び表板６の浅皿凹所10にて形成されている。
【００１２】
図７は、第２の実施の形態を示す。凹窪部３は、幌布５の貫通孔８と、裏板７の貫通孔９、及び表板６の裏面11（の一部）にて形成されている。その他の構成は、第１の実施の形態と同様である。
【００１３】
以上のように、本考案は、２枚の将棋盤半体１，１の裏面２に、凹窪部３を折畳状態で相互に対応する形状と位置に設け、折畳状態で将棋駒収納室４を形成するように構成したので、将棋駒を将棋駒収納室４内に収納することができる。すなわち、駒箱が不要であり、駒箱を紛失する虞れがない。
また、各将棋盤半体１の凹窪部３を除いて裏面２全体に幌布５を接着し、かつ、各裏面２は折畳線12を超えて幌布５によって連結されて２枚の将棋盤半体１，１が折畳展開自在であり、さらに、幌布５にて折畳状態のクッション材に兼用し、さらに、凹窪部３は接着後の機械切削にて形成されているので、折れ将棋盤を折畳む際に騒音を生じにくい。また、将棋盤半体１，１相互に隙間が生じず、美しく折畳まれる。
また、将棋盤半体１は、表板６と裏板７の積層材から構成され、凹窪部３は、幌布５の貫通孔８と、裏板７の貫通孔９、及び表板６の浅皿凹所10にて形成されたので、長期間にわたって、全体に歪みを生じない。また、表板６と裏板７とが分離破損しにくい。
【符号の説明】
【００１４】
１  将棋盤半体
２  裏面
３  凹窪部
４  将棋駒収納室
５  幌布
６  表板
７  裏板
８  貫通孔
９  貫通孔
10  浅皿凹所
12  折畳線
【図１】
0003189198.tif 000003
【図２】
0003189198.tif 000004
【図３】
0003189198.tif 000005
【図４】
0003189198.tif 000006
【図５】
0003189198.tif 000007
【図６】
0003189198.tif 000008
【図７】
0003189198.tif 000009
(57)【要約】      （修正有）【課題】極めて汎用性が高く、より実用的な紙製人形を提供する。【解決手段】ペットボトルを主軸とし、それぞれ紙製である主軸の外装兼足パーツ７、胴体パーツ５、腕パーツ４、顔パーツ３及び髪パーツ２を組み込む。顔パーツ３に、似顔絵師、イラストレーターなど、絵を描くことを業務とした個人・法人による似顔絵またはイラストを加える。主軸の外装兼足パーツ７、胴体パーツ５、腕パーツ４、顔パーツ３及び髪パーツ２が、分解可能である。【選択図】図１
0003189132.tif 000002
【実用新案登録請求の範囲】
【請求項１】
ペットボトルを柱にした紙製人形。
【請求項２】
請求項１の紙製人形の顔に該当する部分を似顔絵師、イラストレーターなど、絵を描くことを業務とした個人・法人が活用すること。
【請求項３】
請求項１の紙製人形のパーツ組み換えの構造。
【考案の詳細な説明】
【技術分野】
【０００１】
本考案は、紙製人形の作成キットに関する。
【背景技術】
【０００２】
本考案は、極めて汎用性が高い紙製人形を提供するものである。
【０００３】
すなわち、紙製人形をより実用的にするものである。
【考案の概要】
【考案が解決しようとする課題】
【０００４】
紙製人形は材質や価格の関係上、消耗する娯楽品の一つとして扱われる傾向が多々あり、立体的なものはかさ張り、収納・保存・携帯が不便である。
【課題を解決するための手段】
【０００５】
紙製人形にプロによる似顔絵・イラストなどを加える。パーツ交換でき、折りたためる構造とする。これにより付加価値が向上する。
【考案の効果】
【０００６】
本考案により、紙製人形を記念品や贈り物にしたり、紙製人形のキットの完成後も楽しみや遊戯要素があったり、折りたたんで収納できるため、長期にわたる活用が可能となる。
【図面の簡単な説明】
【０００７】
【図１】本考案の一実施例である紙製人形の外観正面図
【図２】上記実施例の側面と内部の状態
【図３】上記実施例を分解した状態
【図４】上記実施例のオプション
【図５】上記実施例の組み立て前の展開図
【考案を実施するための形態】
【０００８】
図５にある展開図の実線を切り取り、点線に沿って折り目を付け、形を作り、のりし
ろを接着し各パーツを組み立てる。
【実施例】
【０００９】
図２にあるようにペットボトルを主軸とする。組み立てる順は、図１より、主軸
としたペットボトルを７（主軸の外装兼足パーツ）に組み込む。５（胴体パーツ）の切り込み部に４（腕パーツ）を組み込み、内部で接着したものを、７に上から組み込む。５の顔部分の切り込みに３（顔パーツ）を組み込む。２（髪パーツ）を上から組み込むことで、図１の状態で完成する。図４の９（帽子などの頭部
オプション）、１０（メガネなどの顔部分のオプション）、１１（腕パーツに接続できるアイテムなどのオプション）などの各種オプションを組み込むことで、バリエーションが増える仕組みを持つ。図３に示すように各パーツは分解でき、折り
目に沿って折りたたむことができる。これにより、収納・携帯・保存が簡単にできる仕組みを有する。
【産業上の利用可能性】
【００１０】
・誕生日、結婚記念日などの贈り物
・SNSによる写真投稿
・店舗等のマスコットキャラクターとして設置
・立体的な広告及び看板
・季節ごとの置物
・インテリア  
など。
【符号の説明】
【００１１】
１：紙製人形
２：髪パーツ
３：顔パーツ
４：腕パーツ
５：胴体パーツ
６：スカート等のパーツ
７：足および主軸外装パーツ
８：主軸のペットボトル
９：帽子などの頭部オプション
１０：メガネなどの顔部分のオプション
１１：腕パーツに接続できるアイテムなどのオプション
【図１】
0003189132.tif 000003
【図２】
0003189132.tif 000004
【図３】
0003189132.tif 000005
【図４】
0003189132.tif 000006
【図５】
0003189132.tif 000007
【手続補正書】
【提出日】平成25年12月13日(2013.12.13)
【手続補正１】
【補正対象書類名】実用新案登録請求の範囲
【補正対象項目名】全文
【補正方法】変更
【補正の内容】
【実用新案登録請求の範囲】
【請求項１】
ペットボトルを主軸とし、それぞれ紙製である主軸の外装兼足パーツ、胴体パーツ、腕パーツ、顔パーツ及び髪パーツを組み込んだことを特徴とする紙製人形。
【請求項２】
前記顔パーツに、似顔絵師、イラストレーターなど、絵を描くことを業務とした個人・法人による似顔絵またはイラストを加えたことを特徴とする請求項１に記載の紙製人形。
【請求項３】
前記主軸の外装兼足パーツ、前記胴体パーツ、前記腕パーツ、前記顔パーツ及び前記髪パーツが、分解可能であることを特徴とする請求項１に記載の紙製人形。
(57)【要約】      （修正有）【課題】ボトムを脱がず便座に座ったままの姿勢で開口部を開閉しストーマを出して排泄物を捨てる事が出来るボトムを提供する。【解決手段】人体の下半身に着用される本体１０と、本体１０の内側に設けられ、ストーマ３０が収容されるポケット２０と、本体１０とポケット２０とを貫通し開閉自在に設けられた開口部１００と、を備える。【選択図】図１
0003189145.tif 000002
【実用新案登録請求の範囲】
【請求項１】
人体の下半身に着用される本体と、本体の内側に設けられ、ストーマが収容されるポケットと、本体とポケットとを貫通し開閉自在に設けられた開口部とを備えるボトム。
【考案の詳細な説明】
【技術分野】
【０００１】
本考案は大腸癌・膀胱癌などにより人工結腸・人工膀胱のストーマ手術後の排便や排尿が簡便に出来る衣類に関する。
【背景技術】
【０００２】
ストーマとは膀胱癌・結腸癌などにより自立排泄の機能を失った患者に手術で臍周辺に便や尿の出口を人工的に作り、袋を装着して人工的に排泄機能を持たせるものである。ストーマ装着者を「オストメイト」と称する。
【０００３】
この袋は患者に装着される。患者は袋に排泄物が溜まると便器に捨てる。
【０００４】
そこでストーマ用パンツきが提案されている。
【先行技術文献】
【特許文献】
【０００５】
【特許文献１】特開2013-067932号公報
【考案の概要】
【考案が解決しようとする課題】
【０００６】
特許文献1のパンツはインナーであり外出する時のアウターにはなり得ない。
【０００７】
従来のボトムでは用を足す場合、ボトムを下ろして両手でストーマの中の便や尿を捨てるので、ボトムがずり落ちる恐れが有り女性や高齢者等はバランスが崩れるのを怖がりその為に便器の前にひざまずいて排泄物を捨てている。
【０００８】
女性でボトム等衣服を汚さぬように配慮すると、立ったまま高い位置から捨てる為、尿の排出音に抵抗と羞恥心を感じている。
【０００９】
本考案はボトムを脱がず便座に座ったままの姿勢で開口部を開閉しストーマを出して排泄物を捨てる事が出来るボトム提供することを課題とする。
【課題を解決するための手段】
【００１０】
ボトム１は人体の下半身に着用される本体と、本体の内側に設けられ、ストーマが収容されるポケットと、本体とポケットとを貫通し開閉自在に設けられた開口部と、を備え、これにより本体を脱がずに外側からストーマを出し入れ出来るボトム。
【考案の効果】
【００１１】
本考案によればボトムを脱がず便座に座ったままの姿勢で開口部を開閉しストーマを出して排泄物を捨てる事が出来る。
【００１２】
ここで、オストメイトは入院療養中に看護師等にストーマの排泄・洗浄等の指導を受け練習する。その際には病院内でパジャマを着用しているが日に何度も着衣を汚して取り換えている。
【００１３】
練習時の「何度も汚し取り換える」がトラウマとなり、オストメイトの社会復帰を阻む一因と予想される。
【００１４】
膀胱癌・直腸癌が手術等で治癒しても排泄のわずらわしさから外出や社会復帰が出来ずに家庭や施設などで引き籠りがちになる。
【００１５】
本考案によればボトムを汚さず、容易に排泄物を捨てることが出来るので、オストメイトの外出を促す事が出来る。
【図面の簡単な説明】
【００１６】
【図１】本考案の実施例に係るボトム1の本体を説明する図である。
【図２】実施例の変形例に係るボトム1Ａを説明する図である。
【考案を実施するための形態】
【実施例】
【００１７】
以下、実施例を説明する。以下の説明では、ボトム１を紳士ズボンに適用した例を説明する。
【００１８】
図１は本考案の実施例に係るボトム1の本体を説明する図である。ボトム1は人体の下半身に着用される本体10と、本体10の内側に設けられ、ストーマ30が収容されるポケット20と、本体10とポケット20とを貫通し開閉自在に設けられた開口部100と、を備える。
【００１９】
本体10はズボン形状に形成され、ウエスト11・脇線12・膝13・折り目線14・前中心15を備える。
【００２０】
本実施例に於いて開口部100は、左前身頃ウエスト11の折り目線14上に設けているが開口部100は前身頃の任意の位置に設ける事が出来る。
【００２１】
開口部100は前身頃におけるウエスト11の折り目線14-1から膝上13-1まで形成されファスナー200で開閉する。
【００２２】
ポケット20は左前身頃内側におけるウエスト11より膝上13-2まで伸び、前中心15・脇線12で縫い留める。
【００２３】
上記実施例では前中心と左折り目線開きの例を示したがストーマを装着する位置は手術時の医師の判断により各々異なる為、着脱の為の開端部とストーマを出し入れする開口部の位置は変えても良いし、右又は両方に設けても良い。
【００２４】
丈の長さは実施例ではロング丈であるが丈の長さは任意とする。上着と連結させるなどデザイン用途等により変更してもよい。
【００２５】
本体10の素材は実施例では布帛ポリエステル素材であるがその他布帛全般及びニット・レース・皮革・ストレッチ素材・合成皮革・不織布・フリース・ナイロンクロス・ビニール等でもよい。
【００２６】
上記実施例では開口部100をファスナー200で連結しているが、開口部を連結する留め具は、任意の材料を用いる事が出来る。留め具は金属類ではＸ線撮影に支障が出るのでプラスチック製が好ましいが、デザイン、素材、用途によりループ・鍵ホック・紐・リボン・バックル・ジョイント金具・面ファスナー等に変更してもよい。                  
【００２７】
留め具は実施例では前中心・折り目線位置ともにファスナーであるがこれらの開端部は各々別の接合手段でも良い。
【００２８】
図２は、実施例の変形例に係るボトム1Ａを説明する図である。
【００２９】
変形例のボトム1Ａは開口部100を連結するファスナー200の代わりに、開口部100を覆う当て布200Ａを備える。
【００３０】
当て布200Ａは下端が、開口部100の下端近くに於いて、本体10に固定され、上端が開口部100の上端近くに於いて、本体10と着脱自在に留められる。
【００３１】
実施例及び変形例によれば、以下の作用効果を奏する。
（1）衣類の選択肢が広がることにより前向きな意識が期待できる。
（2）健常者と変わらぬ外見が得られプライドが保たれる。
（3）オストメイトのQOL「Quality of Life（生活の質）」の向上とロコモティブシンドローム「骨・関節・筋肉など体を支えたり動かしたりする運動器の機能が低下し、要介護や寝たきりになる危険が高い状態の事」の改善と予防が期待できる。
（4）オストメイトの自発的な外出や社会復帰が期待できる。
（5）女性は座りながら低い位置から排泄出来るので音の悩みが解決出来る可能性がある。
（6）男性用・女性用共に軽衣料（パジャマ、室内着）・重衣料（スーツ）各種ボトムや運動用スエット等のアイテムに採用可能である。
【符号の説明】
【００３２】
1・1Ａ   ボトム
10       本体
20       ポケット
30       ストーマ
100      開口部
【図１】
0003189145.tif 000003
【図２】
0003189145.tif 000004
(57)【要約】      （修正有）【課題】駅のホームに於いて、白線の外側つまり線路側に出ている人を素早く発見し、警告をする装置を提供する。【解決手段】駅のホームの白線にそって線路側に、人が歩くと感知する重量センサー１を敷設する。その上を人が歩くと、前記センサーが感知し、その情報を駅のホームを巡回している係員が携帯しているセンサー情報受信機が受信し係員が放送等で警告を発するという装置を作る。【選択図】図１
0003189123.tif 000002
【実用新案登録請求の範囲】
【請求項１】
駅のホ−ムの白線にそって線路側に、電車がホ−ムに止まっている間及び停車直前及び発車直前以外の時間帯に人が歩くと感知する重量センサ−を敷設し、その上を人が歩くと前記センサ−が感知し、その情報を駅のホ−ムを巡回している係員が携帯しているセンサ−情報受信機が受信し係員が放送等で警告を発することを特徴とする駅ホ−ム転落防止警報装置。
【考案の詳細な説明】
【技術分野】
【０００１】  本考案は、駅ホ−ムの白線の外に人が出た場合、警報で報せる警報装置に関するものである。
【背景技術】
【０００２】  従来、駅のホ−ムでは、白線よりも外側にいる人については、係員が四六時中、目視による観察を行い危険防止に努めてきた。にもかかわらず、混雑する駅のホ−ムでは、ひっきりなしに白線の外を行き来する人が絶えず、不注意から転落する人が少なからずあった。目視による啓発は限界があった。
【考案の概要】
【考案が解決しようとする課題】
【０００３】  駅のホ−ムに於いて白線の外側にでた人がいる場合、センサ−が働き、危険を報せる装置を提供する。
【課題を解決するための手段】
【０００４】  本考案は、駅のホ−ムの白線にそって外側に、人が歩くと感知する重量センサ−を敷設する。その上を人が歩くと、センサ−が感知し、その情報を駅のホ−ムを巡回している係員が携帯しているセンサ−情報受信機が受信し係員が放送等で警告を発するという装置を作る。
【考案の効果】
【０００５】  従来の巡回し目視によるはみ出し発見よりも、確実にはみ出しを見付け警報を発することができる。また、このような仕組みがあるということ自体が、はみ出しの抑止効果になり得る可能性がある。
【図面の簡単な説明】
【０００６】
【図１】駅のホ−ムの白線にそって敷設された重量センサ−
【図２】駅の係員が持つ、はみ出し情報受信機
【図３】頭上のカメラ
【考案を実施するための形態】
【０００７】  駅のホ−ムの白線にそって外側に、人が歩くと感知する重量センサ−を敷設する。その上を人が歩くと、センサ−が感知し、その情報を駅のホ−ムを巡回している係員が携帯しているセンサ−情報受信機が受信し係員が放送等で警告を発するという装置をつくる。
電車がホ−ムに止まって、人が乗り降りする時間帯はセンサ−は働かないこととする。頭上にカメラも設け、頻繁にはみ出す人は特定し罰金を課すこととする。
【実施例】
【０００８】  以下添付図に従って、一実施例を説明する。１は、駅のホ−ムの白線にそって敷設された重量センサ−であり、感知した情報を、２の駅の係員が持つ、はみ出し情報受信機に送信し、受信した係員は、放送及び直接注意及びあまりにも頻繁にはみ出す者については、３のカメラから特定し罰金を課す。
【符号の説明】
【０００９】  １  重量センサ−
２  重量センサ−からの情報を受信する受信機
３  白線の外にいる人を映す頭上のカメラ
【図１】
0003189123.tif 000003
【図２】
0003189123.tif 000004
【図３】
0003189123.tif 000005
(57)【要約】      （修正有）【課題】首のないマネキンに装着し、容易にマネキンの前に立つだけで，自身が着ている姿を客観的な視野で見ることのできる脱着式マネキンヘッド型ミラーを提供する。【解決手段】マネキンの首に装着できるクランプ３を付け、ジョイント棒５により角度を変えて、ヘッドパーツ２の正面に設けた反射板にほぼ実物大の顔が映るようにする。反射板を覆うカバーが人間の頭部の形になっており帽子などを被せてもよい。【選択図】図４
0003189127.tif 000002
【実用新案登録請求の範囲】
【請求項１】
マネキンの首に装着でき、ほぼ実物大の顔が映る反射板を設けたことを特徴とする脱着式マネキンヘッド型ミラー。
【請求項２】
前記反射板を覆うカバーが人間の頭部の形になっており帽子などを被せる事が出来ることを特徴とする請求項１記載の脱着式マネキンヘッド型ミラー。
【請求項３】
マネキンに装着しなくても帽子などを掛けておけることを特徴とする脱着式マネキンヘッド型ミラー。
【請求項４】
マネキン自体に反射板が直接付いていて自身の顔を映し出す事が出来る反射板付の脱着式マネキンヘッド型ミラー。
【考案の詳細な説明】
【技術分野】
【０００１】
本考案は、首のないマネキンに装着し、一目でコーディネートしたように見える反射板付マネキンへッドである。
【背景技術】
【０００２】
従来のマネキンは似合うかどうか実際、自身で試着してみないと解らないものばかりである。
【先行技術文献】
【特許文献】
【０００３】
【特許文献１】実開平５−５１９１６号公報
【考案の概要】
【考案が解決しようとする課題】
【０００４】
本考案は、上記の問題を解決するものであって、容易にマネキンの前に立つだけで，自身が着ている姿を客観的な視野で見ることのできる脱着式マネキンへッド型ミラーである。
展示している帽子も脱着式マネキンへッド型ミラーに被せておけば反射板を見ただけで似合うかどうかが解り、傷つけずに展示できるもので服も同様である。
【課題を解決するための手段】
【０００５】
上記の目的を解決するためにマネキンの首に装着できる輪（クランプ３）を付け、見えやすいように角度可変部４により角度を変え、商品に手を触れずに着ているように見えるものである。
【０００６】
上記のように構成された脱着式マネキンヘッド型ミラーは、反射部の上（ヘッドパーツ２）が丸くなっており帽子なども掛けられるようになっているのでマネキンの首に装着しなくても帽子掛け等にもなる。
【考案の効果】
【０００７】
以上のように構成された脱着式マネキンヘッド型ミラーは、次のような効果を表す。
【０００８】
請求項１は自身が服装を実際に着なくても，マネキンが着ている服装を自身が着ているかの用に見える反射板が付いたマネキンの頭部である。
【０００９】
請求項２は反射板を覆うカバーが人間の頭部の形になっており帽子などを被せる事のできるマネキンヘッド型ミラーである。
【００１０】
請求項３はマネキンに装着しなくてもテーブルや棚などに直接置く事ができるマネキンヘッド型ミラーである。
【００１１】
請求項４は既にマネキンの顔じたいに反射板が付いているマネキンである。
【図面の簡単な説明】
【００１２】
【図１】本発明の正面から見た図である。
【図２】本発明の側面から見た図である。
【図３】本発明の脱着式マネキンヘッドをマネキンに装着した時の図である。
【図４】一搬的なマネキンの首の部分の図である。
【図５】本発明に帽子を被せた時の図である。
【図６】マネキン自体に反射板が付いている図である。
【考案を実施するための形態】
【００１３】
本発明はマネキンの顔が反射板になっており、顔のないマネキンの首にクランプ３を付ける事により自身の顔が反射板に写し出す事が出来る。
【００１４】
脱着式マネキンヘッド型ミラーの形は人間の頭部の形をしており、正面から見ると平だが横から見ると平均的な頭の大きさで、帽子などが綺麗に被せておける膨らみをもつている。
【００１５】
マネキンに付けなくても脱着式マネキンヘッド型ミラーをテーブルや棚に直接置く事ができ、帽子などを被せておける事ができ、ミラーとしても使える。
【００１６】
マネキン自体に反射板が付いていて自身の顔などを写し出す事が出来る。
【実施例】
【００１７】
通常、和、洋服屋のマネキンの頭部に用いり、ほぼ実物大の顔が反射板に映る形態をしている。
【００１８】
帽子屋の帽子置きに用いり、ほぼ実物大の顔が反射板に映る形態をしている。
【００１９】
自宅の帽子置きに用いり、ほぼ実物大の顔が反射板に映る形態をしている。
【符号の説明】
【００２０】
１  反射板
２  ヘッドパーツ
３  クランプ
４  角度可変部
５  ジョイント棒
６  止めネジ
【図１】
0003189127.tif 000003
【図２】
0003189127.tif 000004
【図３】
0003189127.tif 000005
【図４】
0003189127.tif 000006
【図５】
0003189127.tif 000007
【図６】
0003189127.tif 000008
【手続補正書】
【提出日】平成25年12月17日(2013.12.17)
【手続補正１】
【補正対象書類名】実用新案登録請求の範囲
【補正対象項目名】全文
【補正方法】変更
【補正の内容】
【実用新案登録請求の範囲】
【請求項１】
マネキンの首に装着できるクランプと、ほぼ実物大の顔が映る反射板を設けたことを特徴とする脱着式マネキンヘッド型ミラー。
【請求項２】
前記反射板を覆うカバーが人間の頭部の形になっており帽子などを被せる事が出来ることを特徴とする請求項１記載の脱着式マネキンヘッド型ミラー。